(57)【要約】  板厚が異なる２枚のガラス板を精度良く容易に曲げ成形でき、品質やコストに優れた合わせガラスを提供すること。  所定の形状に曲げ成形された複数枚のガラス板１２、１４と、複数枚のガラス板１２、１４の間に設けられる中間膜４０とを有し、複数枚のガラス板１２、１４のうちの少なくとも２枚のガラス板１２、１４の板厚が異なる、合わせガラス６０において、板厚が異なる２枚のガラス板１２、１４は、異なるガラス組成を有しており、厚いガラス板１２の徐冷点と軟化点との間の任意の温度において、厚いガラス板１２が薄いガラス板１４よりも低い粘度を有することを特徴とする。
2012137742.tif 000002
【特許請求の範囲】
【請求項１】
所定の形状に曲げ成形された複数枚のガラス板と、該複数枚のガラス板の間に設けられる中間膜とを有し、前記複数枚のガラス板のうちの少なくとも２枚のガラス板の板厚が異なる厚いガラス板と薄いガラス板とを有する合わせガラスにおいて、
前記板厚が異なる２枚のガラス板は、厚いガラス板の徐冷点と軟化点との間の任意の温度において、厚いガラス板が薄いガラス板よりも低い粘度を有することを特徴とする、合わせガラス。
【請求項２】
前記板厚が異なる２枚のガラス板は、異なるガラス組成を有している請求項１に記載の合わせガラス。
【請求項３】
前記板厚が異なる２枚のガラス板は、
室温における、前記厚いガラス板の板厚（ｔ１）と、前記薄いガラス板の板厚（ｔ２）との比をｘ（ｘ＝ｔ２／ｔ１）とし、
前記厚いガラス板の徐冷点における、前記厚いガラス板の粘度の対数値（ｌｏｇ１０η１）と、前記薄いガラス板の粘度の対数値（ｌｏｇ１０η２）との比をｙ（ｙ＝ｌｏｇ１０η２／ｌｏｇ１０η１）とし、
前記厚いガラス板の軟化点における、前記厚いガラス板の粘度の対数値（ｌｏｇ１０η３）と、前記薄いガラス板の粘度の対数値（ｌｏｇ１０η４）との比をｚ（ｚ＝ｌｏｇ１０η４／ｌｏｇ１０η３）とすると、
１＜ｙ＜（１．２２−０．２０６×ｘ）の式、および、１＜ｚ＜（１．１５−０．１３１×ｘ）の式を満たす、
請求項１または２に記載の合わせガラス。
【請求項４】
前記板厚が異なる２枚のガラス板は、０．３≦ｘ≦０．９の式を満たす、請求項３に記載の合わせガラス。
【請求項５】
前記板厚が異なる２枚のガラス板は、１．０１７≦ｙの式を満たす、請求項３または４に記載の合わせガラス。
【請求項６】
前記合わせガラスは、車両用窓ガラスであって、前記合わせガラスを構成するガラス板の枚数が２枚であり、前記合わせガラスの凸曲面が、板厚の厚いガラス板の凸曲面で構成される、請求項１〜５のいずれか１項に記載の合わせガラス。
【請求項７】
下記酸化物換算の表記で、
前記薄いガラス板が、
Ａｌ２Ｏ３             ：０〜３．５質量％、
Ｎａ２ＯとＫ２Ｏの合計  ：１２．０〜１４．５質量％、
を含む組成を有し、
前記厚いガラス板が、
Ａｌ２Ｏ３              ：０〜２．０質量％、
Ｎａ２ＯとＫ２Ｏの合計  ：１３．０〜１５．５質量％、
を含む組成を有する、ソーダライムガラス板である請求項１〜６のいずれか１項に記載の合わせガラス。
【請求項８】
下記酸化物換算の表記で、
前記薄いガラス板が、
ＳｉＯ２                ：６８．０〜７５．０質量％、
Ａｌ２Ｏ３               ：０〜３．５質量％、
ＣａＯ                 ：７．０〜１３．０質量％、
ＭｇＯ                 ：０〜 ７．０質量％、
Ｎａ２Ｏ                ：１２．０〜１５．０質量％、
Ｋ２Ｏ                 ：０〜 ３．０質量％、
Ｎａ２ＯとＫ２Ｏの合計  ：１２．０〜１４．５質量％、
を含む組成を有し、
前記厚いガラス板が、
ＳｉＯ２                ：６８．０〜７５．０質量％、
Ａｌ２Ｏ３               ：０〜２．０質量％、
ＣａＯ                  ：７．０〜１３．０質量％、
ＭｇＯ                  ：０〜 ７．０質量％、
Ｎａ２Ｏ                 ：１２．０〜１５．０質量％、
Ｋ２Ｏ                   ：０〜 ３．０質量％、
Ｎａ２ＯとＫ２Ｏの合計  ： １３．０〜１５．５質量％
を含む組成を有する、ガラス板である請求項１〜６のいずれか１項に記載の合わせガラス。
【請求項９】
β−ＯＨ値（ｍｍ−１）が０．１〜０．４である請求項１〜８のいずれか１項に記載の合わせガラス。
【請求項１０】
複数枚のガラス板を軟化点近傍まで加熱して、所定の形状に曲げ成形する成形工程と、曲げ成形された複数枚の前記ガラス板を、中間膜を介して積層する積層工程と、積層した前記ガラス板と前記中間膜を圧着して合わせガラスを形成する圧着工程とを有し、前記合わせガラスを構成する複数枚のガラス板のうちの少なくとも２枚のガラス板の板厚が異なる、合わせガラスの製造方法において、
前記板厚が異なる２枚のガラス板は、厚いガラス板の徐冷点と軟化点との間の任意の温度において、厚いガラス板が薄いガラス板よりも低い粘度を有することを特徴とする、合わせガラスの製造方法。
【請求項１１】
前記板厚が異なる２枚のガラス板は、異なるガラス組成を有している請求項１０に記載の合わせガラスの製造方法。
【請求項１２】
前記板厚が異なる２枚のガラス板は、
室温における、前記厚いガラス板の板厚（ｔ１）と、前記薄いガラス板の板厚（ｔ２）との比をｘ（ｘ＝ｔ２／ｔ１）とし、
前記厚いガラス板の徐冷点における、前記厚いガラス板の粘度の対数値（ｌｏｇ１０η１）と、前記薄いガラス板の粘度の対数値（ｌｏｇ１０η２）との比をｙ（ｙ＝ｌｏｇ１０η２／ｌｏｇ１０η１）とし、
前記厚いガラス板の軟化点における、前記厚いガラス板の粘度の対数値（ｌｏｇ１０η３）と、前記薄いガラス板の粘度の対数値（ｌｏｇ１０η４）との比をｚ（ｚ＝ｌｏｇ１０η４／ｌｏｇ１０η３）とすると、
１＜ｙ＜（１．２２−０．２０６×ｘ）の式、および、１＜ｚ＜（１．１５−０．１３１×ｘ）の式を満たす、請求項１０または１１に記載の合わせガラスの製造方法。
【請求項１３】
前記板厚が異なる２枚のガラス板は、０．３≦ｘ≦０．９の式を満たす、請求項１２に記載の合わせガラスの製造方法。
【請求項１４】
下記酸化物換算の表記で、
前記薄いガラス板が、
ＳｉＯ２                ：６８．０〜７５．０質量％、
Ａｌ２Ｏ３               ：０〜３．５質量％、
ＣａＯ                 ：７．０〜１３．０質量％、
ＭｇＯ                 ：０〜 ７．０質量％、
Ｎａ２Ｏ                ：１２．０〜１５．０質量％、
Ｋ２Ｏ                  ：０〜 ３．０質量％、
Ｎａ２ＯとＫ２Ｏの合計   ：１２．０〜１４．５質量％、
を含む組成を有し、
前記厚いガラス板が、
ＳｉＯ２                ：６８．０〜７５．０質量％、
Ａｌ２Ｏ３               ：０〜２．０質量％、
ＣａＯ                 ：７．０〜１３．０質量％、
ＭｇＯ                 ：０〜 ７．０質量％、
Ｎａ２Ｏ                ：１２．０〜１５．０質量％、
Ｋ２Ｏ                  ：０〜 ３．０質量％、
Ｎａ２ＯとＫ２Ｏの合計   ： １３．０〜１５．５質量％
を含む組成を有する、ガラス板である請求項１０〜１３のいずれか１項に記載の合わせガラスの製造方法。
【請求項１５】
β−ＯＨ値（ｍｍ−１）が０．１〜０．４である請求項１０〜１４のいずれか１項に記載の合わせガラス。
【発明の詳細な説明】
【技術分野】
【０００１】
本発明は、合わせガラス、およびその製造方法に関する。
【背景技術】
【０００２】
自動車用窓ガラスとして、所定の形状に曲げ成形された２枚のガラス板と、該２枚のガラス板の間に設けられる中間膜とを有する合わせガラスが広く普及している。２枚のガラス板は、コストの観点から、同じガラス組成、同じ板厚を有する。中間膜は、ポリビニルブチラール（ＰＶＢ）などの樹脂で構成され、割れたガラスが飛び散るのを防止する。【０００３】
ガラス板を所定の形状に曲げ成形する成形方法として、ガラス板を下方から支持するリング状の下型（リング型）上にガラス板を載せ、加熱炉に通すことで、ガラス板を加熱して軟化させ、重力によってリング型に沿った形状に曲げる重力成形方法が一般的である。重力によって予備成形したガラス板を、リング型とプレス型との間に挟んで押圧して本成形するプレス方法が用いられることもある。【０００４】
これらの成形方法において、２枚のガラス板を重ねてリング型上に載せ、同時に曲げ成形することが経済的である。この場合、２枚のガラス板の間には、セラミックス粉末を含む離型剤が予め配される。【０００５】
近年では、自動車の軽量化を目的として、合わせガラスを薄板化することが検討されている（例えば、特許文献１参照）。特許文献１では、小石などの飛来物が外部から自動車に衝突することなどを考慮して、車外側のガラス板を、車内側のガラス板よりも厚くすることが提案されている。【０００６】
自動車用窓ガラスは、車両取り付け時における車外側に向けて凸の曲面状に形成されるので、車外側のガラス板を、車内側のガラス板よりも厚くする場合、リング型上に、厚いガラス板、薄いガラス板をこの順で重ねて載せ、加熱して軟化させることで、下方に向けて凸の形状に曲げる。
【先行技術文献】
【特許文献】
【０００７】
【特許文献１】日本特開２００３−５５００７号公報
【発明の概要】
【発明が解決しようとする課題】
【０００８】
しかしながら、２枚のガラス板の板厚が異なる場合、２枚のガラス板の曲げ性が異なるので、２枚のガラス板を同じように曲げることが困難であり、様々な問題が生じる。【０００９】
例えば、リング型上に、厚いガラス板、薄いガラス板をこの順で重ねて載せる場合、薄いガラス板は、厚いガラス板よりも変形しやすいため下方に垂れやすいので、下記の（１）〜（２）などの問題がある。
（１）ガラス板と中間膜が十分圧着されず、圧着不良になる。
（２）離型剤などの凹凸が薄いガラス板に転写し、曲げ成形後においてもガラス板の歪みとして残り、見栄えが悪くなるなどの問題がある。【００１０】
これに対し、板厚が異なる２枚のガラス板を同じように曲げ成形するため、２枚のガラス板を異なる温度に加熱して曲げ成形することが考えられるが、２枚のガラス板を重ねてリング型に載せる場合、２枚のガラス板に温度差をつけること自体が困難である。【００１１】
また、板厚が異なる２枚のガラス板を１枚ずつ別のリング型に載せ、別々に曲げ成形する場合、ガラス板の板厚に応じて、ガラス板を熱処理する加熱炉内の温度分布を変えたり、リング型の形状を変る必要があり、経済的ではない。【００１２】
このように、板厚が異なるガラス板を含む合わせガラスは、品質やコストに問題があった。【００１３】
本発明は、上記課題に鑑みてなされたものであって、板厚が異なるガラス板を精度良く容易に曲げ成形でき、圧着工程においてガラス板と中間膜が十分圧着されるとともに、ガラス板の歪みを低減して品質やコストに優れた合わせガラスおよびその製造方法を提供することを目的とする。
【課題を解決するための手段】
【００１４】
上記目的を解決するため、本発明は、所定の形状に曲げ成形された複数枚のガラス板と、該複数枚のガラス板の間に設けられる中間膜とを有し、前記複数枚のガラス板のうちの少なくとも２枚のガラス板の板厚が異なる厚いガラス板と薄いガラス板とを有する合わせガラスにおいて、前記板厚が異なる２枚のガラス板は、厚いガラス板の徐冷点と軟化点との間の任意の温度において、前記厚いガラス板が薄いガラス板よりも低い粘度を有することを特徴とする、合わせガラスを提供する。
本明細書において、上記した合わせガラスを構成する板厚が異なる２枚のガラス板のうち、厚い方のガラス板を厚いガラス板と称し、薄い方のガラス板を薄いガラス板と称する。【００１５】
また、本発明は、複数枚のガラス板を軟化点近傍まで加熱して、所定の形状に曲げ成形する成形工程と、曲げ成形された複数枚の前記ガラス板を、中間膜を介して積層する積層工程と、積層した前記ガラス板と前記中間膜を圧着して合わせガラスを形成する圧着工程とを有し、前記合わせガラスを構成する複数枚のガラス板のうちの少なくとも２枚のガラス板の板厚が異なる、合わせガラスの製造方法において、前記板厚が異なる２枚のガラス板は、厚いガラス板の徐冷点と軟化点との間の任意の温度において、厚いガラス板が薄いガラス板よりも低い粘度を有することを特徴とする、合わせガラスの製造方法を提供する。
【発明の効果】
【００１６】
本発明によれば、板厚が異なるガラス板を精度良く容易に曲げ成形でき、ガラス板の歪みを低減して品質やコストに優れた合わせガラスおよびその製造方法を提供することができる。
【図面の簡単な説明】
【００１７】
【図１】本発明の一実施形態による合わせガラスの製造方法の説明図（１）である。
【図２】本発明の一実施形態による合わせガラスの製造方法の説明図（２）である。
【図３】本発明の一実施形態によるガラス積層体の側面図である。
【図４】本発明の一実施形態による合わせガラスの側面図である。
【図５】Ｆｕｌｃｈｅｒの式に基づき計算される、ガラスの粘度と温度との関係を模式的に示すグラフである。
【図６】ＢＢ法による粘度測定の説明図である。
【図７】Ｄ１＝Ｄ２を満たす、ｘとｙとの関係を示すグラフである。
【図８】Ｄ１＝Ｄ２を満たす、ｘとｚとの関係を示すグラフである。
【図９】式（６）および式（８）を満たすｘとｙとの関係を示すグラフである。
【図１０】式（７）および式（９）を満たすｘとｚとの関係を示すグラフである。
【発明を実施するための形態】
【００１８】
以下、本発明を実施するための形態について図面を参照して説明するが、本発明は、下記の実施形態に制限されることはなく、本発明の範囲を逸脱することなく、下記の実施形態に種々の変形および置換を加えることができる。
【００１９】
例えば、本発明の合わせガラスの実施形態のガラス板の種類は、ソーダライムガラスであるが、本発明のガラス板の種類に制限はなく、例えば、無アルカリガラスであっても良い。
本実施形態における合わせガラスを構成する薄いガラス板と厚いガラス板は、具体的には、下記酸化物換算の質量％表示で、以下のような第１の態様及び第２の態様のガラス組成を有することが好ましい。
（第１の態様）
薄いガラス板は、
Ａｌ２Ｏ３              ：０〜３．５質量％、
Ｎａ２ＯとＫ２Ｏの合計  ：１２．０〜１４．５質量％、
を含む組成を有し、
厚いガラス板は、
Ａｌ２Ｏ３              ：０〜２．０質量％、
Ｎａ２ＯとＫ２Ｏの合計  ：１３．０〜１５．５質量％
を含む組成を有する、ソーダライムガラス板。
（第２の態様）
薄いガラス板は、
ＳｉＯ２               ：６８．０〜７５．０質量％、
Ａｌ２Ｏ３              ：０〜３．５質量％、
ＣａＯ                ：７．０〜１３．０質量％、
ＭｇＯ                ：０〜 ７．０質量％、
Ｎａ２Ｏ               ：１２．０〜１５．０質量％、
Ｋ２Ｏ                 ：０〜 ３．０質量％、
Ｎａ２ ＯとＫ２Ｏの合計  ：１２．０〜１４．５質量％、
Ｎａ2 ＯとＫ2 Ｏの合計が １３．０〜１５．５質量％、
含む組成を有し、
厚いガラス板は、
ＳｉＯ２              ：６８．０〜７５．０質量％、
Ａｌ２Ｏ３             ：０〜２．０質量％、
ＣａＯ               ：７．０〜１３．０質量％、
ＭｇＯ               ：０〜 ７．０質量％、
Ｎａ２Ｏ              ：１２．０〜１５．０質量％、
Ｋ２Ｏ                ：０〜 ３．０質量％、
Ｎａ２ＯとＫ２Ｏの合計  ： １３．０〜１５．５質量％
を含む組成を有する、ガラス板。
【００２０】
Ａｌ２Ｏ３は、耐候性を確保する成分であり、好ましくは１．７質量％以上、より好ましくは１．８質量％以上である。また、４．０質量％を超えると、粘性が高くなり、溶融が困難になるおそれがある。この観点で、より好ましくは３．５質量％以下、特に好ましくは３．３質量％以下である。
Ｎａ２Ｏは、溶融性を向上する成分であり、１２．６質量％より少ないと、溶融性が低下するおそれがある。より好ましくは１２．８質量％以上、特に好ましくは１３．０質量％以上である。また、１５．０質量％を超えると、耐候性が低下するおそれがある。より好ましくは１４．８質量％以下、特に好ましくは１３．８質量％以下である。
Ｋ２Ｏは、溶融性を向上する成分であり、好ましくは０．５質量％以上、より好ましくは０．９質量％以上である。また、２．０質量％を超えると、耐候性が低下するおそれがあり、またガラス板のコストも高くなる。より好ましくは１．８質量％以下、特に好ましくは１．６質量％以下である。
上記した第１の態様に係るソーダライムガラス板とは、ＳｉＯ２、ＣａＯ、Ｎａ２Ｏ、及びＫ２Ｏを主成分として含有するソーダライムガラスであって、ＳｉＯ２を、６５〜７５質量％、ＣａＯを７〜１４質量％を少なくとも含有し、かつ上記した範囲のＡｌ２Ｏ３、Ｎａ２Ｏ、及びＫ２Ｏとを含有するガラス板を指す。
上記した数値範囲を示す「〜」とは、その前後に記載された数値を下限値及び上限値として含む意味で使用され、特段の定めがない限り、以下本明細書において「〜」は、同様の意味をもって使用される。
【００２１】
（合わせガラスの製造方法）
図１および図２は、本発明の一実施形態による合わせガラスの製造方法の説明図である。図１は成形工程の説明図であって、加熱炉の縦断面図である。図２は積層工程の説明図である。図３は、本発明の一実施形態によるガラス積層体の側面図である。図４は、本発明の一実施形態による合わせガラスの側面図である。
合わせガラスの製造方法は、成形工程と、積層工程と、圧着工程とを有し、合わせガラスを構成する複数枚のガラス板のうちの少なくとも２枚のガラス板の板厚が異なる。複数枚のガラス板のそれぞれの板厚やガラス組成、複数枚のガラス板の板厚比は、成形工程などの各工程の前後において、ほとんど変化しない。
【００２２】
成形工程は、複数枚の板厚の異なるガラス板を、軟化点の高い方のガラス板、すなわち薄いガラス板の軟化点付近まで加熱して、所定の形状に曲げ成形する工程である。成形工程では、例えば、ガラス板をリング型上に載置して加熱炉に通し、加熱して軟化させ、重力によって所定の形状に曲げ成形する重力成形法が用いられる。重力によって予備成形したガラス板を、リング型とプレス型との間に挟んで加圧して本成形するプレス成形法が用いられても良い。
【００２３】
これらとは別に、加熱炉内に設けられる複数のロール上を水平に搬送されながら所定の温度に加熱されたガラス板を、リング型で持ち上げて、曲げ型に近づけ、曲げ型に沿った形状に成形する方法が用いられても良い。
【００２４】
成形工程では、例えば、図１に示すように、離型剤を介して重ねた複数枚のガラス板２、４を、リング型２０に載せ、同時に曲げ成形することが経済的である。リング型２０上に載置された複数枚のガラス板２、４は、上下方向に並んでおり、隣り合うガラス板の間には、離型剤が配される。
【００２５】
離型剤は、隣り合うガラス板を離間して、成形後に容易に分離できるようにする。離型剤としては、例えばガラス板と反応したり、高温で溶融したりすることのないセラミックス粉末などが好適に用いられる。
【００２６】
重力成形法におけるリング型２０上に載置される複数枚のガラス板２、４は、板厚が異なる２枚のガラス板を含み、板厚が厚いガラス板ほど下方に配置されても良い。リング型２０上に載置されるガラス板の枚数が３枚以上であって、板厚が同じガラス板が存在する場合、板厚が同じガラス板は、隣り合わせに配置される。
【００２７】
一方で、リング型２０上に載置される複数枚のガラス板２、４は、板厚が薄いガラス板ほど下方に配置されても良い。この場合、曲げ成形されたガラス板１２、１４の上下位置を入れ換えて積層することで、ガラス板１４のリング型２０との接触痕の凹凸が外部に露出するのを防止できる。また、複数枚のガラス板２、４の成形性に若干の差異が生じる、又は意図的に成形性の差異を残した場合であっても、ガラス板の２、４の上下位置を任意に変えることにより、複数枚のガラス板の曲がり易さから最適な成形手順を選択することができる。
【００２８】
成形工程では、複数枚のガラス板２、４を１枚ずつ別のリング型２０に載せ、別々に曲げ成形することも可能であり、この場合、離型剤は不要である。この場合、従来は、ガラス板の板厚に合わせて、加熱炉３０内の温度分布を変えたり、異なるリング型２０を使用したりする必要があるが、本実施形態においては、不要である。詳しくは後述するが、板厚の厚い板と板厚の薄い板の成形温度域における曲げ性が略同じためである。
【００２９】
リング型２０は、リング状に形成され、複数枚（例えば２枚）のガラス板２、４を下方から支持する支持型である。リング型２０は、加熱炉３０の内部をレールに沿って所定方向に案内される。加熱炉３０の内部は、ガラス板を予熱する予熱ゾーン３２、ガラス板を曲げ成形する成形ゾーン３４、ガラス板を徐冷する徐冷ゾーン３６などの複数のゾーンに区画されている。各ゾーンには、各ゾーンの温度を制御するため、加熱ヒータなどが設けられている。
【００３０】
リング型２０は、予熱ゾーン３２、成形ゾーン３４、徐冷ゾーン３６をこの順で通過する。成形ゾーン３４の温度は、ガラス板の曲げ成形に適した温度（通常、５５０〜６５０℃）に設定されており、成形ゾーン３４において、ガラス板がリング型２０に沿った形状に曲げられる。
【００３１】
リング型２０は、枠状に形成されており、ガラス板の周縁部を支持している。リング型２０は、一体物であっても良いが、周方向で分割されていても良く、後者の場合、リング型を構成する複数の分割体を、所定の形状を得るため必要に応じて、相対的に移動または回動させても良い。また、部分的に曲率の違うリング型を並行に重複させ、ガラス板の曲げの程度に合わせて支持するリングを入れ替えても良い。
【００３２】
このようにして、成形工程では、複数枚の平板状のガラス板２、４を曲げ成形して、所定の形状の複数枚のガラス板１２、１４を得る。得られた複数枚のガラス板１２、１４は、十分に冷却された後、必要に応じて（例えば、離型剤を除去するため）、洗浄され、積層工程に供される。
【００３３】
積層工程は、図２に示すように、曲げ成形された複数枚のガラス板１２、１４を、中間膜４０を介在させて積層する工程である。この工程によって、図３に示すように、ガラス積層体（未圧着体）５０が得られる。ガラス積層体５０は、板厚が異なる２枚のガラス板１２、１４を含んでいる。本明細書において、ガラス積層体とは、複数枚のガラス板を、中間膜を介して積層した状態であって、まだ圧着工程前の未圧着積層体を称し、圧着工程を経て得られた合わせガラスとは区別する。
【００３４】
中間膜４０は、ポリビニルブチラール（ＰＶＢ）などの樹脂で構成され、隣り合うガラス板１２、１４の間に設けられる。中間膜４０は、後述の合わせガラス６０が割れたときに、割れたガラスが飛び散るのを防止する。
【００３５】
積層工程では、曲げ成形された複数枚のガラス板の中から、形状の合う複数枚（例えば２枚）のガラス板１２、１４を選定して積層しても良い。例えば、１つのリング型２０上で同時に曲げ成形された複数枚のガラス板１２、１４を、それぞれ、異なるペアのガラス板と圧着して、合わせガラスの作製に用いても良い。
【００３６】
積層工程では、ガラス板１２、１４と中間膜４０との間からの脱気をし易くし、ガラス板と中間膜の圧着不良の発生を防止するため、積層する２枚のガラス板１２、１４を、曲率半径が大きいガラス板１２の凹曲面と、曲率半径が小さいガラス板１４の凸曲面とが向かい合うように積層することが望ましい。ここで、「凸曲面」とは、ガラス板の凸の曲面をいい、「凹曲面」とは、ガラス板の凹んだ曲面をいう。２枚のガラス板１２、１４の曲率半径の差は、僅かである。
【００３７】
積層工程では、複数枚の板厚の異なるガラス板１２、１４を、板厚が厚いガラス板ほど、ガラス積層体５０の凸曲面寄りに配置されるように上下に並べて積層する。これによって、合わせガラス６０を自動車用窓ガラスとして車体に取り付けたとき、厚いガラス板ほど車外寄りに配置されるので、飛び石など車外からの衝撃に対する耐久性を向上できる。
【００３８】
圧着工程は、積層したガラス板１２、１４と中間膜４０とを圧着して、図４に示すように、合わせガラス６０を形成する工程である。合わせガラス６０は、積層工程で得られたガラス積層体５０をオートクレーブ内に入れ、加熱・圧着することで得られ、所定の湾曲形状を備える。
【００３９】
合わせガラスの製造方法は、上記成形工程や積層工程、圧着工程の他、ガラス板の表面に機能材層８（図１参照）を形成する形成工程をさらに有して良い。機能材としては、特に限定されないが、例えば、金属材などの導電材、耐熱顔料などの加飾材が挙げられる。
【００４０】
前記形成工程では、機能材の他に、バインダーや溶剤を含むインクを、ガラス板の表面に塗布し、乾燥させることで、機能材層８を形成する。１枚のガラス板の表面に、複数種類の機能材層８を形成しても良い。機能材層８は、所定のパターンで形成される。
【００４１】
形成工程は、成形工程の前に実施されて良く、この場合、平面状のガラス表面にインクを塗布でき、塗布作業性が良い。インクの塗布方法としては、例えばスクリーン印刷法、ダイコート法などがある。
【００４２】
機能材層８は、焼成されると、ガラス板の表面に焼き付けられ、機能材を含む機能膜１８（図１参照）となる。機能膜１８は、例えば、導電材を含む導電膜、また導電線条であって、ＴＶ放送、ＡＭ／ＦＭ放送、ＰＨＳなどの電波を受信するアンテナ、凍結防止用の熱電線などを構成する。あるいは、機能膜１８は、加飾材を含む加飾膜であって、黒色の耐熱顔料を含み、外部からの視認を制限したり、太陽光の透過を制限する。
【００４３】
（合わせガラスの製造方法の詳細）
本実施形態では、合わせガラス６０を構成する複数枚のガラス板１２、１４のうちの少なくとも２枚のガラス板１２、１４の板厚が異なる。図３、４に示した例は、２枚のガラス板を有する合わせガラスであり、板厚が異なる２枚のガラス板１２、１４（即ち、ガラス板２、４）は、異なる粘度を有しており、厚いガラス板１２の徐冷点と軟化点との間の任意の温度において、厚いガラス板１２は、薄いガラス板１４よりも低い粘度を有する。
【００４４】
ここで、「徐冷点」とは、ガラスの粘度が１０１３ｄＰａ・ｓとなる温度をいい、ガラスの組成などで定まる。ソーダライムガラスの徐冷点は、代表的には、５５０℃程度である。徐冷点よりも低い温度では、ガラス板はほとんど熱変形しない。
【００４５】
また、「軟化点」とは、ガラスの粘度が１０７．６５ｄＰａ・ｓとなる温度をいい、ガラスの組成などで定まる。ソーダライムガラスの軟化点は、代表的には、７５０℃程度である。ガラス板の曲げ成形温度は、軟化点と同じ温度、または、軟化点よりも若干低い温度に設定される。
【００４６】
ガラスの粘度は、ガラスの温度が同じ場合、ガラスの組成及び水分含水量を表すβ‐OH値（ｍｍ−１）などに依存する。ソーダライムガラスの場合、例えば、ガラス中のアルカリ金属酸化物（Ｎａ２ＯやＫ２Ｏなど）の含有量が少なくなるほど、β−ＯＨ値（ｍｍ−１）が小さくなるほど粘度は高くなる。
なお、β−ＯＨ値（ｍｍ−１）は、ガラス中の水分含有量の指標であり、ガラスのβ−ＯＨ値は、ガラス試料について波長２．７５〜２．９５μｍの光に対する吸光度を測定し、その最大値βｍａｘを該試料の厚さ（ｍｍ）で割ることで求めることができる。
また、ガラス板のβ−ＯＨ値（ｍｍ−１）は、原料中の水分量、原料を溶解する熱源の種類（たとえば、重油、ＬＮＧ、電気等）、溶解槽中の水蒸気濃度、および溶解槽における溶融ガラスの滞在時間などにより変化し、ガラス原料として酸化物の代わりに水酸化物を用いる方法（例えば、マグネシウム源として酸化マグネシウム（ｍｇｏ）の代わりに水酸化マグネシウム（Ｍｇ（ＯＨ）２）を用いる）を用いるなどによって調整されることが好ましい。
本実施態様においてガラス板中の水分含有量は、β−ＯＨ値（ｍｍ−１）で０．１〜０．４、好ましくは０．２〜０．３となる。
【００４７】
ガラスの粘度は、ガラスの組成が同じ場合、ガラスの温度が上昇するほど、低下する。ガラスの粘度は、ガラスの組成が同じ場合、下記の式（１）で表される。下記の式（１）は、一般に、Ｆｕｌｃｈｅｒの式と呼ばれる。
【００４８】
【数１】
2012137742.tif 000003
式（１）において、ηはガラスの粘度（ｄＰａ・ｓ）、Ｔはガラスの温度（℃）を表す。また、Ａ、η０（ｄＰａ・ｓ）、Ｂ（℃）、およびＴ０（℃）は、それぞれ、ガラスの組成などに応じて定まる定数を示す。
【００４９】
図５は、Ｆｕｌｃｈｅｒの式に基づき計算される、ガラスの粘度と温度との関係を模式的に示すグラフである。図５において、縦軸はガラスの粘度の値ηの対数値（１０を底とする）であり、横軸はガラスの温度の値Ｔである。図５に示すように、ガラスの組成が同じ場合、Ｔが高くなるほど、ηが低くなる。
【００５０】
所定の温度におけるガラスの粘度は、所謂、Ｂｅａｍ  Ｂｅｎｄｉｎｇ法（以下、「ＢＢ法」という）によって測定される。ＢＢ法は、徐冷点と軟化点との間の所定温度における粘度を測定するのに適した測定方法である。
【００５１】
図６は、ＢＢ法による粘度測定の説明図である。図６に示すように、ＢＢ法による粘度測定では、３点曲げ試験機１００を用いる。長さ５０ｍｍ、板厚２ｍｍの試験片１１０を２つの支持点（間隔Ｌ＝２０ｍｍ）で水平に支持し、所定温度に加熱する。その後、試験片１１０の長手方向中央に一定の荷重（４０ｇ）を加え、試験片の長手方向中央の撓み速度を測定する。ここで、「撓み速度」とは、上下方向における変位速度を意味する。次いで、撓み速度の測定結果などを下記の式（２）に代入して、所定温度におけるガラスの粘度を算出する。
【００５２】
【数２】
2012137742.tif 000004
式（２）において、ηはガラスの粘度（ｄＰａ・ｓ）、Ｇは重力加速度（ｃｍ／ｓｅｃ２）、Ｌは２つの支持点の間隔（ｃｍ）、Ｉは試験片の断面２次モーメント（ｃｍ４）、ｖは試験片中央の撓み速度（ｃｍ／ｍｉｎ）、Ｍは試験片の長手方向中央に加える荷重（ｇ）、ρはガラスの密度（ｇ／ｃｍ３）、Ｓは試験片の断面積（ｃｍ２）を表す。
【００５３】
式（２）式を変形すると、下記の式（３）が得られる。
【００５４】
【数３】
2012137742.tif 000005
式（３）に示すように、ガラスの粘度が低くなるほど、ガラスの撓み速度が速くなる。
【００５５】
本実施形態では、上述の如く、板厚が異なる２枚のガラス板１２、１４（即ち、ガラス板２、４）は、異なるガラス粘度を有しており、厚いガラス板１２の徐冷点と軟化点との間の任意の温度において、厚いガラス板１２が薄いガラス板１４よりも低い粘度を有する。そのため、粘度差によって板厚差を補償でき、板厚が異なる２つのガラス板１２、１４を精度良く容易に曲げ成形できる。
板厚がｔ（ｍｍ）のガラス板の曲げやすさを表す指標として、図６に示す３点曲げ試験機１００を用いて、板厚がｔ（ｍｍ）の試験片１１０に一定の荷重（５０ｇｆ）を加えた状態で、試験片１１０を４００℃から６３０℃まで昇温したときの、試験片１１０の総撓み量を使用可能である。この総撓み量をＤ（ｃｍ）とすると、Ｄは下記の式（４）から算出される。試験片１１０の昇温開始温度を４００℃としたのは、４００℃以下の温度では、試験片の熱変形が無視できる程小さいからである。試験片とガラス板とは、同じガラス組成を有し、同じＡ（η０）、Ｂ、Ｔ０を有する。
【００５６】
【数４】
2012137742.tif 000006
式（４）において、Ｔは試験片の温度を示す。Ｅは、試験片の４００℃から６３０℃までの昇温速度（℃／ｍｉｎ）を示し、１０（℃／ｍｉｎ）とする。ｖは、試験片の撓み速度（ｃｍ／ｍｉｎ）を示し、Ｔを変数とする関数であって、下記の式（５）で表される。
【００５７】
【数５】
2012137742.tif 000007
式（５）は、式（３）に式（１）を代入して得られるものであって、ＬおよびＩはｔなどにて定まる。ＬおよびＩは、温度に対する依存性が無視できるほど小さいので、室温での値を用いる。
【００５８】
厚い試験片（ｔ＝ｔ１）におけるＤおよびＴ０の値をＤ１およびＴ１とし、薄い試験片（ｔ＝ｔ２＜ｔ１）におけるＤおよびＴ０の値をＤ２およびＴ２としたとき、Ｄ１＝Ｄ２を満たすΔＴ（ΔＴ＝Ｔ２−Ｔ１）を表１に示す。また、２つの試験片の板厚比をｘとし、厚い試験片（ｔ＝ｔ１）の徐冷点における、２つの試験片の粘度の対数値同士の比をｙとし、厚い試験片（ｔ＝ｔ１）の軟化点における、２つの試験片の粘度の対数値同士の比をｚとすると、Ｄ１＝Ｄ２を満たす、ｘ、ｙおよびｚの組み合わせを表１に示す。ｙおよびｚの値は、表１に示すΔＴなどを式（４）（詳細には式（５））に代入して算出される。
【００５９】
【表１】
2012137742.tif 000008
表１において、２つの試験片におけるＡおよびＢの値は、ソーダライムガラスの代表値とし、具体的には、Ａ＝１．５２５、Ｂ＝４１４４（℃）とした。また、厚い試験片（ｔ＝ｔ１）におけるＴ１の値は、ソーダライムガラスの代表値とし、具体的には、Ｔ１＝２７０．６（℃）とした。このように、ＡおよびＢの値を一定とし、Ｔ０のみを調節したのは、ＡおよびＢは、Ｔ０に比べて、ガラス組成に対する依存性が小さいからである。
表１において、ｘの値は、室温における、厚い試験片の板厚（ｔ１）と、薄い試験片の板厚（ｔ２）との比（ｔ２／ｔ１）を示す。ｙの値は、厚い試験片の徐冷点における、厚い試験片の粘度の対数値（ｌｏｇ１０η１）と、薄い試験片の粘度の対数値（ｌｏｇ１０η２）との比（ｌｏｇ１０η２／ｌｏｇ１０η１）を示す。ｚの値は、厚い試験片の軟化点における、厚い試験片の粘度の対数値（ｌｏｇ１０η３）と、薄い試験片の粘度の対数値（ｌｏｇ１０η４）との比（ｌｏｇ１０η４／ｌｏｇ１０η３）を示す。
【００６０】
図７は、Ｄ１＝Ｄ２を満たす、ｘとｙとの関係を示すグラフである。図８は、Ｄ１＝Ｄ２を満たす、ｘとｚとの関係を示すグラフである。
【００６１】
図７に示すように、Ｄ１＝Ｄ２を満たすｘとｙとは、ほぼ比例関係を有する。最小二乗法により求められるｘとｙとの関係は、ｙ＝１．２０−０．２０６×ｘで表される。
【００６２】
図８に示すように、Ｄ１＝Ｄ２を満たすｘとｚとは、ほぼ比例関係を有する。最小二乗法により求められるｘとｚとの関係は、ｚ＝１．１３−０．１３１×ｘで表される。
【００６３】
そうすると、板厚が異なる２枚のガラス板１２、１４（即ち、ガラス板２、４）は、成形工程における曲げ性を合わせるため、下記の式（６）および式（７）を満たすことが望ましい。
【００６４】
【数６】
2012137742.tif 000009
【００６５】
【数７】
2012137742.tif 000010
式（６）および式（７）において、ｘ、ｙおよびｚは、表１と同様の意味であって、ｘは室温における２枚のガラス板１２、１４の板厚比を示し、ｙは厚いガラス板１２の徐冷点における、２枚のガラス板１２、１４の粘度の対数値同士の比を示し、ｚは厚いガラス板１２の軟化点における、２枚のガラス板１２、１４の粘度の対数値同士の比を示す。
式（６）および式（７）において、ｂ１＝１．２２、ｃ１＝１．１５である。ｙ≧ｂ１−０．２０６×ｘ、または／および、ｚ≧ｃ１−０．１３１×ｘの場合、成形工程における、厚いガラス板の曲げ量が、薄いガラス板の曲げ量よりも過大となる。そのため、厚いガラス板の凹曲面と、薄いガラス板の凸曲面とが対向するように、２枚のガラス板を積層すると、２枚のガラス板の間に圧着不良が生じやすい。ｂ１は、好ましくは１．２１、より好ましくは１．２０である。ｃ１は、好ましくは１．１４、より好ましくは１．１３である。
【００６６】
板厚が異なる２枚のガラス板は、上記の式（６）および式（７）に加えて、下記の式（８）および式（９）を満たすことがさらに望ましい。但し、式（８）は、ｘがある程度小さいときのみ有効に用いられ、具体的には１≦ｂ２−０．２０６×ｘのときにのみ有効に用いられる。同様に、式（９）は、ｘがある程度小さいときのみ有効に用いられ、具体的には１≦ｃ２−０．１３１×ｘのときにのみ有効に用いられる。
【００６７】
【数８】
2012137742.tif 000011
【００６８】
【数９】
2012137742.tif 000012
式（８）および式（９）において、ｂ２＝１．１１、ｃ２＝１．０６である。ｙ＞ｂ２−０．２０６×ｘ、および、ｚ＞ｃ２−０．１３１×ｘとすることで、ｘが小さい場合でも、成形工程における、２枚のガラス板の曲げ量を十分に整合できる。ｂ２は、好ましくは１．１２、より好ましくは１．１３である。ｃ２は、好ましくは１．０７、より好ましくは１．０８である。
【００６９】
図９は、式（６）および式（８）を満たすｘとｙとの関係を示すグラフである。図９において、式（６）および式（８）を満たす領域を斜線で示す。また、図９において、表１に示すｘとｙとの関係をプロットする。図９に示すように、式（８）は、ｘがある程度小さいときのみ有効である。
【００７０】
図１０は、式（７）および式（９）を満たすｘとｚとの関係を示すグラフである。図１０において、式（７）および式（９）を満たす領域を斜線で示す。また、図１０において、表１に示すｘとｚとの関係をプロットする。図１０に示すように、式（９）は、ｘがある程度小さいときのみ有効である。
【００７１】
表１との比較のため、ｘ、ｙおよびｚの組合せが式（６）〜式（９）の少なくとも１つの式を満たさないときのＤ２／Ｄ１、およびΔＴを表２に示す。
【００７２】
【表２】
2012137742.tif 000013
表２において、ｂ１＝１．２０、ｃ１＝１．１３、ｂ２＝１．１３、ｃ２＝１．０８である。
【００７３】
板厚が異なる２枚のガラス板１２、１４（即ち、ガラス板２、４）は、０．３≦ｘ≦０．９の式を満たすことが望ましい。ｘを０．９以下とすることで、厚いガラス板１２（車外側のガラス板）の強度や耐飛び石性能を維持しつつ、合わせガラス６０を十分に薄板化できる。また、ｘを０．３以上とすることで、薄いガラス板１４の強度を十分に確保できる。薄板化による軽量化と、先進国の安全基準を満たし飛び石などに対する車外側ガラス板の強度のバランスから、０．３≦ｘ≦０．７６がより好ましく、０．３３≦ｘ≦０．６６がさらに好ましい。このときの、一般の自動車用窓ガラスに用いられるソーダライムガラスであれば、合わせガラスの車外側に配置されるガラス板の板厚は１．６ｍｍより厚いことが好ましく、１．８ｍｍ以上がさらに好ましい。また、車内側に配置されるガラス板の板厚は１．６ｍｍより薄いことが好ましく、１．３ｍｍより薄いことがさらに好ましく、１．１ｍｍより薄いことが特に好ましい。一方で、０．７ｍｍよりも厚いとガラス板の取り扱いが容易になり、１ｍｍよりも厚ければ既存の自動車用窓ガラスの生産設備とへの適合性が高く好ましい。
また、厚い板と薄い板の板厚差は、０．５ｍｍ以上が好ましく、０．６５ｍｍ以上がさらに好ましい。強度や飛び石性能を確保したまま軽量化が可能になるためである。
また、ｙの値は、１．０１７≦ｙが好ましく、１．０２≦ｙがより好ましく、１．０３≦ｙがさらに好ましい。
【００７４】
合わせガラス６０は、車両用窓ガラスであって、例えば図４に示すように、合わせガラス６０を構成するガラス板１２、１４の枚数が２枚であっても良く、合わせガラス６０の凸曲面が、板厚の厚いガラス板１２の凸曲面で構成される。この合わせガラス６０を車両に取り付けると、板厚の厚いガラス板１２が車外側に配置されるので、小石などの飛来物が外部から自動車に衝突する場合に、合わせガラス６０が割れにくい。
【００７５】
なお、上記実施形態では、合わせガラスは、２枚のガラス板を含むとしたが、合わせガラスのうちの２枚のガラス板の板厚が異なる限り、３枚以上のガラス板を含んで良い。この場合、上記２枚のガラス板以外の残りのガラス板は、上記２枚のガラス板の両方と異なる板厚であっても良いし、いずれか一方と同じ板厚であっても良い。前者の場合、板厚が異なる２枚のガラス板の組合せ全てにおいて、２枚のガラス板は、厚いガラス板の徐冷点と軟化点との間の任意の温度において、厚いガラス板が薄いガラス板よりも低い粘度を有することが望ましい。後者の場合、板厚が同じガラス板は、同じガラス粘度を有することが望ましい。
【実施例】
【００７６】
以下に、実施例などにより本発明を具体的に説明するが、本発明はこれらの例によって限定されるものではない。【００７７】
［実施例１］
実施例１では、平板状の２枚のガラス板（ソーダライムガラス）を用意する。この２枚のガラス板は、異なる板厚を有しており、厚いガラス板の板厚は２．０ｍｍであり、薄いガラス板の板厚は１．１ｍｍである。また、この２枚のガラス板は、異なる組成を有しており、蛍光Ｘ線分析を用いて各ガラス板の組成を調べた結果、厚いガラス板は、薄いガラス板よりも高いＮａ２Ｏ含有量を示す。【００７８】
次いで、各ガラス板と同組成の試験片を用いて、図６に示すＢＢ法により複数の温度における粘度を調べ、モデル式である式（１）との差が最小となるように、最小二乗法で式（１）中のＡ、Ｂ、Ｔ０を求める。その結果、厚いガラス板と同組成の試験片では、Ａ＝１．５２５、Ｂ＝４１４４、Ｔ０＝２７０．８である。また、薄いガラス板と同組成の試験片では、Ａ＝１．５２５、Ｂ＝４１４４、Ｔ０＝２９０．８である。これらのＡ、Ｂ、Ｔ０の組み合わせに基づいて算出されるｙおよびｚの組合せは、ｙ＝１．９２１、ｚ＝１．０５６である。ちなみに、ｘは０．５５である。【００７９】
次いで、薄いガラス板の表面に、ガラスフリット、黒色の耐熱顔料、および有機ビヒクルを混ぜたインクを塗布し、乾燥させて加飾材層を形成する。【００８０】
次いで、加飾材層が薄いガラス板の上面に配置されるように、図１に示すリング型上に、厚さ２．０ｍｍのガラス板、および厚さ１．１ｍｍのガラス板をこの順で重ねて載せる。なお、２枚のガラス板を重ねる前に、２枚のガラス板の間に、セラミックス粉末を含む離型剤を設ける。【００８１】
次いで、２枚のガラス板を重ねて載せたリング型を、加熱炉の入口から予熱ゾーンを経て、成形ゾーンに移動させることで、軟化した２枚のガラス板を重力によってリング型に沿った形状に曲げると共に、加飾材層を脱バインダーのための加熱処理し、次いで焼成して加飾膜を形成する。この状態では、薄いガラス板の凸曲面と、厚いガラス板の凹曲面とが互いに対向している。次いで、リング型を、成形ゾーンから徐冷ゾーンに移動させた後、加熱炉の出口から搬出する。【００８２】
その後、リング型上で、２枚のガラス板を十分に冷却した後、リング型から取り外し、洗浄によって離型剤を除去し、各ガラス板の外観を目視で観察する。その結果、離型剤に含まれるセラミックス粉末の凹凸に起因する欠点は認められず、見栄えに問題はない。【００８３】
続いて、厚いガラス板の凹曲面と、薄いガラス板の凸曲面とを互いに向かい合わせて、ポリビニルブチラール（ＰＶＢ）からなる中間膜を介して、２枚のガラス板を積層し、ガラス積層体（未圧着体）とする。ガラス積層体は、オートクレーブ内で加熱・圧着され、所定の湾曲形状を備えた合わせガラスを得る。
得られた合わせガラスを目視で観察すると、隣り合うガラス板の間に圧着不良は見られず、クラックも確認されない。【００８４】
［実施例２］
実施例２では、薄いガラス板の板厚を１．６ｍｍとし、薄いガラス板のガラス組成を変更する他は、実施例１と同様にして合わせガラスを作製する。【００８５】
成形工程の前に、実施例２の薄いガラス板と同組成の試験片を用いて、図６に示すＢＢ法により複数の温度における粘度を調べ、モデル式である式（１）との差が最小となるように、最小二乗法で式（１）中のＡ、Ｂ、Ｔ０を求める。その結果、薄いガラス板と同組成の試験片では、Ａ＝１．５２５、Ｂ＝４１４４、Ｔ０＝２７８．６である。このＡ、Ｂ、Ｔ０の組み合わせに基づいて算出されるｙおよびｚの組合せは、ｙ＝１．８２６、ｚ＝１．０２２である。ちなみに、ｘは０．８である。【００８６】
成形工程の後、リング型上で、２枚のガラス板を十分に冷却した後、リング型から取り外し、洗浄によって離型剤を除去し、各ガラス板の外観を目視で観察する。その結果、離型剤に含まれるセラミックス粉末の凹凸に起因する欠点は認められず、見栄えに問題はない。
また、圧着工程の後、得られた合わせガラスを目視で観察すると、隣り合うガラス板の間に圧着不良は見られず、クラックも確認されない。【００８７】
［実施例３］
実施例３では、薄いガラス板および厚いガラス板の組成を表３の通りに変更する他は、実施例１と同様にして合わせガラスを作製する。
成形工程の前に、実施例３の薄いガラス板と厚いガラス板とそれぞれ同組成の試験片を用いて、図６に示すＢＢ法により複数の温度における粘度を調べ、モデル式である式（１）との差が最小となるように、最小二乗法で式（１）中のＡ、Ｂ、Ｔ０を求める。その結果、表３に記載の通り、薄いガラス板と同組成の試験片では、Ａ＝２．１５８、Ｂ＝４７９１、Ｔ０＝２４３．６であり、厚いガラス板と同組成の試験片では、Ａ＝１．６１７、Ｂ＝４２３０、Ｔ０＝２６１．６である。【００８８】
成形工程の後、リング型上で、２枚のガラス板を十分に冷却した後、リング型から取り外し、洗浄によって離型剤を除去し、各ガラス板の外観を目視で観察する。その結果、離型剤に含まれるセラミックス粉末の凹凸に起因する欠点は認められず、見栄えに問題はない。
また、圧着工程の後、得られた合わせガラスを目視で観察すると、隣り合うガラス板の間に圧着不良は見られず、クラックも確認されない。【００８９】
［実施例４］
実施例４では、薄いガラス板および厚いガラス板の組成を表３の通りに変更する他は、実施例１と同様にして合わせガラスを作製する。
成形工程の前に、実施例４の薄いガラス板と厚いガラス板とそれぞれ同組成の試験片を用いて、図６に示すＢＢ法により複数の温度における粘度を調べ、モデル式である式（１）との差が最小となるように、最小二乗法で式（１）中のＡ、Ｂ、Ｔ０を求める。その結果、表３に記載の通り、薄いガラス板と同組成の試験片では、Ａ＝１．２７０、Ｂ＝４１１９、Ｔ０＝２７４．３であり、厚いガラス板と同組成の試験片では、Ａ＝−０．１１０、Ｂ＝２９７６、Ｔ０＝３１２．０である。【００９０】
成形工程の後、リング型上で、２枚のガラス板を十分に冷却した後、リング型から取り外し、洗浄によって離型剤を除去し、各ガラス板の外観を目視で観察する。その結果、離型剤に含まれるセラミックス粉末の凹凸に起因する欠点は認められず、見栄えに問題はない。
また、圧着工程の後、得られた合わせガラスを目視で観察すると、隣り合うガラス板の間に圧着不良は見られず、クラックも確認されない。【００９１】
【表３】
2012137742.tif 000014
【００９２】
［比較例１］
比較例１では、薄いガラス板のガラス組成を変更し、厚いガラス板のガラス組成と同一とする他は、実施例１と同様にして合わせガラスを作製する。
成形工程の後、リング型上で、２枚のガラス板を十分に冷却した後、リング型から取り外し、洗浄によって離型剤を除去し、各ガラス板の外観を目視で観察する。その結果、離型剤に含まれるセラミックス粉末の凹凸に起因する欠点が観察され、透視歪みが見られる。
また、圧着工程の後、得られた合わせガラスを目視で観察すると、隣り合うガラス板の間に圧着不良が認められ、クラックも確認される。
【産業上の利用可能性】
【００９３】
本発明は、板厚が異なるガラス板を精度良く容易に曲げ成形でき、ガラス板の歪みを低減して品質やコストに優れた合わせガラスおよびその製造方法を提供することができ、特に自動車用の合わせガラスとして有用である。
なお、２０１１年４月１日に出願された日本特許出願２０１１−０８２１０３号および２０１１年９月２８日に出願された日本特許出願２０１１−２１２２３８号の明細書、特許請求の範囲、図面及び要約書の全内容をここに引用し、本発明の開示として取り入れるものである。
【符号の説明】
【００９４】
２    厚いガラス板
４    薄いガラス板
８    機能材層
１２  曲げ成形された厚いガラス板
１４  曲げ成形された薄いガラス板
１８  機能膜
２０  リング型
４０  中間膜
５０  ガラス積層体（未圧着体）
６０  合わせガラス
【図１】
2012137742.tif 000015
【図２】
2012137742.tif 000016
【図３】
2012137742.tif 000017
【図４】
2012137742.tif 000018
【図５】
2012137742.tif 000019
【図６】
2012137742.tif 000020
【図７】
2012137742.tif 000021
【図８】
2012137742.tif 000022
【図９】
2012137742.tif 000023
【図１０】
2012137742.tif 000024
【国際調査報告】
2012137742.tif 000025
2012137742.tif 000026
2012137742.tif 000027
2012137742.tif 000028
2012137742.tif 000029
2012137742.tif 000030